(57)【要約】【課題】掲示後一定期間経過後に顕在する広告画像を印刷する。【解決手段】ネットワークにおいて画像を提供するサーバにおいて、画像が要求された場合に、広告の付加の有無をユーザに選択させ、広告付が選択された場合、広告サーバに対して選択可能な広告を提供させる（Ｓ５０２，Ｓ５０７）。ユーザが広告および広告に付随する懸賞の選択をすると、画像データサーバは、選択された画像を通常のインクで、広告を褪色しやすいインクで、懸賞の応募番号等を広告上に褪色防止インクで記録されるような画像データをプリント端末に送ってプリントさせる（Ｓ５０４〜Ｓ５０６）。【選択図】図５
2004181787.tif 000002
【特許請求の範囲】
【請求項１】
利用者の目的とする目的画像に対して付帯的な付帯画像を付加し、前記付帯画像を、前記目的画像よりも褪色しやすい色材でプリントさせると共に、前記付帯画像上に、おおむね無色の褪色防止剤で潜像を記録させることを特徴とするプリントシステム。
【発明の詳細な説明】
【０００１】
【発明の属する技術分野】
本発明は、例えばインターネット等のネットワークに接続されたプリント端末を利用して画像等を印刷するためのネットワークプリントシステムに関する。
【０００２】
【従来の技術】
従来、各種の情報を提供し、プリントアウトするサービスが考えられている。情報のサービスの形態として、例えば、１：インターネットＷｅｂ、２：インターネットプッシュ型ニュース配信サービス、３：Ｆａｘ情報取り出しサービス、４：新聞雑誌添付型資料請求クーポン送付、５：フリーダイヤル問い合わせ、６：資料請求はがき送付等が知られている。しかし、それぞれには一長一短があり、配信後プリントアウトして見やすく、解かりやすくしてより多くの人に情報を提供するよりよいサービスが望まれていた。
【０００３】
一方、携帯電話等の携帯型情報端末の普及により、文字情報や画像情報による情報提供サービスが盛んになってきた。しかし、携帯端末の表示能力では、サイズ、色、解像度などで制限がある。そして、プリントアウトしにくいという難点がある。そのため、これを補完する形で、上記のサービスが利用されることが多い。
【０００４】
誰もが、好きな場所で、好きな時に詳細な情報を高品位に出力できるようにしたいという要望があることは事実である。一方、プリントアウトする場合は画像として見るよりも、さらに費用の問題がある。例えばカラーでプリントしようとすると、プリントに要する費用はまだまだ高価である。
【０００５】
インターネットの世界では、情報提供者の情報に広告提供者の広告を載せることで、情報が無償で提供されるサービスが考えられている。そのため、提供される情報をユーザが印刷しようとする場合、情報そのものは無償であっても、それをユーザがコピーショップやコンビニエンスストア等で出力する場合、印刷処理は有償である。そのため、一般ユーザは情報を取得して印刷することに抵抗があった。
【０００６】
一方、広告提供者の立場からすると、新聞の折り込み広告にようなランダムに掲載される広告は、広告のヒット率（広告を見てやって来る客の比率）が低い。また、印刷を行ったユーザの立場からすると、ランダムに掲載される広告は自分の興味に関係ない広告であることが多く、単に邪魔である場合が多い。これらの課題を解決しないと、そのまま紙などの資源の浪費につながる。
【０００７】
広告を出力するかしないか等をその都度ユーザが自由に選択できうようにしたとしても、個々の広告を印刷するのかどうかの確認をその都度行うのは面倒で時間がかかる。特に、コンビニエンスストア等の店頭の端末において、ユーザが印刷用の端末のパネルで印刷作業を行う場合、パネル操作に長時間を費やしてしまい、そのユーザ一人が端末を占領してしまう恐れがある。また、店員が、パネル操作がわからない等の苦情に対する必要もあり、サービスを効率よく提供できないという欠点も考えられる。
【０００８】
また、インターネットの普及と携帯端末の普及によって携帯端末からメールを読んだり、インターネット上の情報にアクセスできるようになったが、それらの情報を携帯端末で全て見るには無理がある。例えば、長いメールは途中で切れたり、画像付きの情報は画像情報にアクセスできなかったりする。それらの情報にアクセスするためにＰＣを常に持ち歩くわけにはいかない。従って、誰でも利用できる場所で、好きな時に詳細な情報を得ることができる様にしたいという要望が考えられる。
【０００９】
出力を使用者の満足の行くレベルで、かつ、できるだけやすく提供する必要があるが、印刷枚数、印刷された有償情報の値段、そこから割り引かれる広告料金を元に可変の印刷料金を出すことは容易ではない。
【００１０】
上記のような課題をかなりのレベルにおいて解決した発明が特開２０００−２９９８８８号公報（特許文献１）に記載されている。これによれば、プリントシステムは、提供されている情報に対応する複数のコード情報を認識し、認識された複数の前記コード情報がそれぞれ対応する複数の出力情報を取得し、取得された複数の出力情報が、指定されたレイアウトで出力されるような出力情報を生成し、生成された出力情報を出力制御部に転送する、情報処理装置及び情報処理方法及び情報処理プログラムを提供することを目的としている。
【００１１】
さらに、受信された複数の前記コード情報のうち、所定のコード情報を選択し、選択されたコード情報が対応する出力情報が、所定のレイアウトで出力されるような出力情報を受信する段階を含んでいる。
【００１２】
その後ユーザが、ユーザに対応する、特許文献１に記載されているところのＰコード（ユーザや提供される情報に対応するコード）を入力してある特定の情報を出力することを許可されているか否かの個人認証を行う。認証されれば、ユーザが情報を出力した際の課金処理を行うための装置を経由して、コンビニエンスストア等の店頭のＰＯＳシステムと連動しているようなプリント装置でプリントアウトされる。そのプリントアウトサービスの形態としては、以下のような形態がある。
【００１３】
メールプリントサービス：これは、例えば情報携帯端末に送付された電子メールの内容を印刷して残しておきたい場合、または、携帯端末を持たないユーザが電子メールを外出先で読みたい場合に、その要望に答えるべく、ユーザの電子メールの内容（メール情報）をＰコードを入力して印刷することができるシステムである。これも、広告の有無、裏面印刷、カラー／白黒印刷等により、料金が可変である。
【００１４】
パーソナル情報サービス：これは、ユーザが個々の情報を個別のＰコードによって取得できるだけでなく、好みの情報を選択・収集して、それらの情報が統合されたものをユーザ固有のＰコードによって取得できるサービスである。例えば、野球のある特定のチームの記事のみが集められたものを毎朝、コンビニで出力する、といった「マイスポーツ新聞」などがこのサービスに該当する。ユーザがこのサービスを受けるためには、個人会員となってユーザ固有のＰコード（パーソナルＰコードという）を発行してもらう必要がある。そして、このＰコードを入力する際には、パスワード等を個人認証機能装置に入力する必要がある・これも、広告の有無、裏面印刷、カラー／白黒印刷により、料金が可変である。
【００１５】
データ通信サービス：これは、例えば、１００円パークに車を預けるように、情報（データ）を一時的に預け、後に引き出すことができるサービスである。情報を預ける方法には、例えば、キオスク端末の情報入力装置（スキャナなど）により情報を入力して預けておく場合と、インターネットを介して所望の情報（データ）を、ネットワーク型画像データベースシステムなどの制御部に転送して預けておく場合とがある。
【００１６】
【発明の解決しようとする課題】
しかしながら、上記従来の技術において、情報は無償であっても利用者はプリントの経費を負担しなければならない。そこで、プリントの費用の一部を広告費用と相殺してユーザーの負担を低減させる手段は十分にその効力を発揮する。なぜなら、そのプリント費用がもし、その広告のおかげで「無料」となれば、ユーザーは有難味を十分に感じるためである。
【００１７】
「無料」でなかった場合においてどうであろうか？３〜５割引となっても、あまり有難味を感じない。ましてや、一時的に見るメールなどのプリントアウトでは、特開２０００−２９９８８８号公報に示される技術などによりプリント出力されても、一時的に見てすぐ捨て去るものであるから、ほとんどユーザーは何の有難味も感じないし、広告の内容もユーザーの記憶の中にはとどめられない。それは人間の記憶システムは強力なインパクト以外にはプリント画面の副次的位置に掲載されている広告などはほとんど全く記憶に残らないためである。
【００１８】
しかしながら、このような副次的な存在の広告を、複数回にわたってユーザーに認識させるようにすれば、たとえ副次的な広告であっても脳の記憶システムにインプットされ、潜在的な効力を発揮する。このような複数回にわたってユーザーが認識するようなプリント物において広告を認識あるいは視認させるようにするには、ポスターや写真などの通常の日常生活で一般の人が常に通常の家庭生活にて認識する位置にあるような掲示物にする必要がある。このようにすれば広告の効果があることは明白である。そこで、ポスターや大判の写真のようなものに広告を副次的に掲載し、ユーザーに日常生活で使用してもらい、広告を潜在的に認識してもらうようにすればいい。
【００１９】
ところが、ここで新たな問題が発生する。それは、ポスターや写真を日常的に目にするように掲示してもらわないかぎりにおいて、この効果は発揮されないということである。たとえば、ポスターや写真をプリントアウトとしても、まるめて保管したり、ロッカーや机の中にしまい込まれては何の意味もないということである。また、ポスターや写真にある広告の部分を切り取られてしまっては、これまた何の効力も発揮しない。そこで、このような問題を回避して、広告主においても、またユーザーにおいても双方にメリットのある解決方法が望まれる。
【００２０】
また、ポスターや写真などの常に掲示するものには、ユーザーは親愛の感情（英語で言うところのｆａｖｏｒｉｔｅ）フレンドリーな良い感情を抱いている。この親愛に満ちた感情の場所に広告を入り込ませることができれば、ユーザーはその広告、ひいては広告主の企業法人に対しても、あるいは製品に対しても親愛の感情を抱くようになる。そうなれば、ユーザーは潜在的な広告主の味方、カスタマー得意先となる。
【００２１】
人間の脳に、広告を認識させるには約２０〜１００回程度、それとなく無意識のうちに視認させればよい。つまり、約１〜３ヶ月の間ていど視認してもらえばよいのである。そうすれば、この掲示物がなくなっても記憶の底に潜在的にしまい込まれ、テレビや街頭、店舗の前で製品や広告を見た時に、親愛の情を抱き、購入を行う機会が増加する効果も期待できる。
【００２２】
このようなことを実現させるにはどうしたらよいのか、本発明者等は鋭意検討した。その結果あるすぐれた方法を見出した。
【００２３】
すなわち、インターネットを通じて入手したデータをプリントアウトする際に、企業のロゴやトレードマークを一緒にプリントアウトすることで、プリントアウト費用を低減もしくは無料とし、且つ、そのプリントアウトされたプリント物の上に、通常の室内に掲示することで、何らかの特典や懸賞商品の引き換えのための暗証番号が掲示から１〜３月間の間に現れるように構成すれば良い。
【００２４】
つまり、約１〜３ヶ月間にわたって室内に掲示してもらえば、当該ポスターの広告の部分に隠された暗号キーやワード（以後、暗証番号と称す。）が出現し、この暗証番号をポスター番号やその他の番号とともにＷｅｂで広告主や主催するサイトにアクセスし、インプットすれば特典が得られるようにすればよい。このようにすればユーザーは、広告を見ることに対して期待を抱き、掲示することによって副次的な潜在意識へのインプット効果を得られる。
【００２５】
そこで、約１〜３ヶ月間の間に通常の室内において、この隠された暗証番号が視認できるまでに出現するようにさせることに技術的な問題解決の課題が集中した。
【００２６】
室内掲示の１〜３ヶ月間で広告に部分、もしくはその他の部分に秘匿されたワードが出現するようにさせるには鋭意検討した結果、紫外線と酸化による広告媒体中のインク成分を劣化させ、広告の部分が消出し、ワードが出現するようにすればよいことを見出した。もしくは、暗証番号を隠している部分が消失し、暗証番号の部分が出現するようにすれば良いことを見出した。
【００２７】
紫外線のみでは、強い陽射しや直射日光の当たるところではすぐに劣化してしまい、１〜３ヶ月間をクリアできない。また、紫外線や外部の光が当たらないロッカーや机の中で、暗証番号が現れてはこまるので、室内に掲示される程度に相当する紫外線などを必要とするように設定しなくてはならない。
【００２８】
そこで、紫外線と酸化による相乗効果でこのような一般家庭の室内に掲示した場合、１〜３ヶ月間で上記の秘密匿ワードである暗証番号が出現するようにすればよい。
【００２９】
すなわち、本発明は上記従来例および考察に鑑みてなされたもので、プリントされた広告等の画像を、ユーザがその内容を認識して記憶に定着させる程度の一定期間にわたり掲示させるために、一定期間掲示された状態で初めて可視化される文字や記号等の画像を、提供される画像と共に印刷しておくプリント装置を提供することを目的とする。
【００３０】
【課題を解決するための手段】
上記目的を達成するために、本発明のプリントシステムは次のような構成を備える。
【００３１】
利用者の目的とする目的画像に対して付帯的な付帯画像を付加し、前記付帯画像を、前記目的画像よりも褪色しやすい色材でプリントさせると共に、前記付帯画像上に、おおむね無色の褪色防止剤で潜像を記録させる。
【００３２】
【発明の実施の形態】
図１乃至７を参照して本発明の基本的な一例を説明する。図１はプリントシステムの構成であり、図５はプリントシステムの流れを説明するフローである。
【００３３】
＜画像データプリント手順＞
ユーザー端末１は、インターネット２を介して、画像やポスター画像等を格納する画像データサイト３にアクセスする（Ｓ５０１）。アクセスは携帯電話やパソコン端末などで可能である。この画像データサイト３から引き出す画像データＤを決定するが（Ｓ５０２）、その際に（もしくは後で画像データＤをプリントする際でもよい）、ユーザは広告を入れるかどうかの選択を行うことが可能である（Ｓ５０３）。この選択は、例えば画像データサイト３がユーザに対して提供する画面上から可能である。
【００３４】
ユーザー１が広告を入れることを選択した場合、画像データサイト３から広告サイト４へ自動的にアクセスされる。広告サイト４では、画像データに付加する広告主をまずユーザに選択させ、次に広告の位置と大きさをユーザに選択させる。それにより、プリントに対して課金される料金の値引き額あるいは割引率が提供されてユーザ端末に表示される。ユーザは、広告に見合った金額の値引きや割引きを受けて、画像データの引き出しやプリントアウトが可能となる。なお、逆に、プリントの料金を無料となるように条件を指定しておき、広告による値引きで全課金がまかなえるような画像データのみをユーザが選択できるように構成することもできる。その場合には、広告サイトから選択された広告に対応する値引き額が画像データサーバに渡され、その値引き額に対応するプリント料金となるサイズやカラー構成の画像をユーザは選択できる。このプリントアウトやデータ引き出しの際に、懸賞番号登録を行うかどうかの設定もユーザは可能である。この設定も、広告サイト４からユーザ端末に表示される画像においてユーザが選択できる。ユーザがこの懸賞番号登録を行うことを選択した場合、広告サイト４のサーバーは、そのユーザに対して１つの暗証番号を与える。あるいは、そのユーザが印刷しようとするデータに対して１つの暗証番号を与える（Ｓ５０７）。
【００３５】
ここで暗証番号は、データの複製もしくは複製プリントが行われた段階で消失する仕組みとする。あるいは、暗証番号を暗号化しておき、画像を印刷させるプリント端末６に復号キーを付与しておき、プリント端末６以外では文字や記号として可視化できない仕組みとしても良い。
【００３６】
こうしてユーザにより選択された広告画像および暗証番号は、たとえば画像データサーバ３に送られて選択された画像データと合成され、指定されたプリント端末６へと送信される。このときに、画像データサーバは、広告部分と暗証番号について、それぞれ後述するプリンタにおいてセットされている色材や褪色防止剤に対応するヘッドで記録されるように、その色（すなわち記録材の種類）を設定する（Ｓ５０３）。
【００３７】
こうして印刷対象の画像データおよび広告が確定すると、プリント料金の精算が行われる。この精算は、広告主が広告の掲載の代償として負担する部分については、広告サーバに登録された広告主への課金として処理され、ユーザ負担分は、プリント端末の設置店へと支払ったり、あるいはプリント端末に取りつけられた精算機でユーザが支払う（Ｓ５０５）。
【００３８】
最後に、プリント端末６から、ユーザが指定した画像および広告が印刷される。ユーザが印刷しようとする画像は、付加される広告部分が特殊なインクでプリントされるために、専用のプリント装置であることが望ましい。そのような機能を有するプリント装置６へデータＤが転送されプリントアウトされる。（Ｓ５０６）。
【００３９】
以上、図５においては、ステップＳ５０１がユーザ端末あるいはそれに代わるプリント端末、ステップＳ５０３〜Ｓ５０４が画像データサーバ（画像データサイトに設置されている）、ステップＳ５０７が広告サーバ（広告サイトに設置されている）、ステップＳ５０６がプリント端末で実行される。ステップＳ５０５は、広告主によって支払われる料金については広告サーバとプリント端末との間で例えばオンラインで精算され、それ以外の部分については、たとえばユーザによりプリント装置に接続された精算機で支払われる。となお図１の各サイトは、サーバコンピュータやサーバコンピュータを接続したローカルエリアネットワークにより構成されている。そして、各サーバや端末で実行される手順は、コンピュータが実行するプログラムとして、各サーバや端末に供給される。供給はオンラインや記録媒体で行われる。
【００４０】
なお、ユーザーは、前述したようにユーザ端末から画像データサイトへアクセスして選択した画像のプリントをプリンタ装置６で行うように、画像データサイト６により提供される操作画面上において指示できる。あるいは、プリント端末６においてキーボード入力操作により、上記のような画像データサイト３へアクセスして直接プリントアウトさせることもできる。
【００４１】
あるいは、ユーザー個人所有の画像データＤ’を持ち込んで、プリンタ装置６を介して広告サイト４へアクセスし、企業ロゴや広告の入った画像データ、もしくは、懸賞登録用暗証番号が付属された画像データＤをプリントアウトし、図２のようなプリント物７を得ることが可能である。この場合には、プリント端末６が有するインターフェースや記録媒体のドライブにより、画像データＤ’をプリント端末６から入力できる。
【００４２】
以上により印刷の手順は終了する。そして本実施形態における印刷による効果は、印刷後にプリント物７上に表れる。プリントされたポスターや写真等のプリント物７は、ユーザにより室内などに掲示される。
【００４３】
プリント物７には、図２に示すように画像８と広告９が入っている。広告９は後述する褪色しやすいインクを用いて印刷され、広告９に重複して、図３に示すように暗証番号１０、１１が無色の褪色防止剤で記録されている。また、ユーザが選択した画像は、半永久的なプリントのために利用される通常のインクでプリントされる。そのため、室内などにおいてプリント物７が掲示されると、図４に示すように、広告部分が褪色し、それにつれて暗証番号が時間とともに紫外線やオゾンの酸化により順番に現れてくる。
【００４４】
このすべての暗証番号が現れるタイミング（期間）をもって、広告主５０はＷｅｂサイトやテレビや新聞などのマスコミメディアを通じて、懸賞の募集を行う。これを見たユーザーは、暗証番号をネットやその他の手法を用いて応募し、懸賞に応募するという構成である。
【００４５】
さらに暗証番号は時期をずらして時系列的に現れるようにしておけば、ユーザー１は常にそのポスターを見ることとなり、視認し認識する回数も増え、ユーザーの潜在意識の下にポスターや写真などの好ましいイメージとともに広告のロゴも含まれるようになる。そして、最後には広告や暗証番号自体もすべて消失するようにしてもよい。
【００４６】
図５では、第１の暗証番号と第２の暗証番号が一定時間経て可視化される。これは、暗証番号１と暗証番号２それぞれを記録する褪色防止剤を異なる効果のものとしたり、あるいは一方を重ね打ちすることなどで実現できる。このようにすることで、ユーザー１が広告の入ったプリント物を視認する機会を増やすことが可能となる。
【００４７】
図４は、暗証番号が可視化する過程の一例を示す図であり、図２のプリント物７に記載された画像８以外の広告部分９である。「ＡＢＣ」というロゴの部分に、暗証番号１０、１１が記録されている。
【００４８】
図４において、プリントされた当初の状況をＳＴＥＰ−１に示している。ＳＴＥＰ１では、褪色しやすいものの、色調などは通常のインクで記録された広告ロゴ９は十分な濃度でプリントされており、その上に無色の褪色防止剤で記録された暗証番号は視認することができない。
【００４９】
室内にプリント物７を掲示して所定の時間が経過すると、広告ロゴ９が褪色して、褪色防止剤がコーティングされた暗証番号１０が現れるようになる。図４では視覚的に認識することは困難であるが、暗証番号１０が僅かに広告ロゴＡの部分と違って濃い色調として現れはじめる。
【００５０】
さらに時間が進むと、ＳＴＥＰ−３で暗証番号１１がＢのロゴの部分に現れる。つまり、ＡＢＣのロゴの全体部分がだんだんと退色して行き、暗証番号１０、１１が現れる仕組みである。
【００５１】
さらにＳＴＥＰ−４では、ＡＢＣのロゴ全体が薄くなり、かつ、暗証番号１０、１１もわずかに薄くなり始める。ＳＴＥＰ−５ではロゴ９の部分全体が消失し、暗証番号１０、１１のみが残る。
【００５２】
このようにして、掲示してから一定期間経過すると暗証番号企業ロゴマークやトレードマークなどの広告部分全体が消失する。本来画像データのプリント物７上に企業ロゴやトレードマーク９などは無いことをユーザー１は望む場合が多い。そのため、広告付の画像であっても、ユーザは受け入れやすいものとなっている。
【００５３】
そして最後には、暗証番号１０、１１も消失して、ユーザの望んだ画像のみが残る。
【００５４】
ＳＴＥＰ−３のタイミングをプリントアウトから１月後程度と設計すれば良い。
【００５５】
＜インク成分の設計＞
次に、プリント物７においてプリント後１〜３ヶ月間の間に暗証番号１０、１１などが表出するような構成を示す。
【００５６】
通常のインクジェットプリンター用インクは、例えばキヤノンＢＪＣ−８５０では、室内において約１０年間程度以上の色安定性を示すように設計されている。そこで、これ以外に上記のような１〜３ヶ月の間に消失するようなインクで広告の部分を別途プリントするようにすればよい。
【００５７】
例えば、インク染料として、アシッドレッド５２号（大和化成）３重量％、イソプロピルアルコール８重量％、ベンゾトリアゾール０．８重量％、亜リン酸ナトリウム２重量％、安息香酸アンモニウム１重量％、残部が水よりなるインクＦ１を用いて広告をプリントする。
【００５８】
その後、広告の部分に、ベンゾアセトフェノン０．８重量％、イソプロピルアルコール８重量％、残部水よりなる無色のインクＦ２を暗証番号１１のようにプリントする。
【００５９】
このようにすることにより、見た目では全くわからない一様な広告がプリントされる。ベンゾトリアゾール、ベンゾアセトフェノンは紫外線吸収剤であり、亜リン酸ナトリウムは酸化防止剤である。これを室内に放置すると、約１ヶ月後付近から広告の部分の退色が始まり、４５日後では暗証番号１１が明確に見えるようになる。そして、１２０日ぐらいでは暗証番号も紫外線の影響によりすべて消失する。酸化防止剤である亜リン酸ナトリウムを入れないと、インクの消色が早く始まり、約１週間程度で酸化により暗証番号が現れ、１月後には室内ではほとんど消色してしまう。
【００６０】
よって、褪色を防止するための酸化防止剤と、褪色を促進するための紫外線吸収剤を併用することで、通常の室内において一定期間掲示された際に暗証番号を表出させることが可能となる。
【００６１】
暗証番号の表出時期に差を設けるためには、暗証番号１０のように、速く現出させる方を、インクＦ２で２回重ね打ちプリントする。このようなプリントはインクジェットプリンタでもシリアルプリンタにのみ可能な方法である。
【００６２】
これにより、紫外線防止剤であるベンゾアセトフェノンが余分に付与されているので、１回の記録の場合よりも約１．５乃至２倍程度の紫外線耐力がある。そうすると、重ね打ちした部分については、プリント物７を室内放置した場合の退色率が低いので、１回のみ記録した暗証番号１１よりも早い時期に暗証番号１０が現れるようになる。これは、暗証番号１０，１１も、広告ロゴ９よりもゆっくりながら褪色していくために、褪色がより遅いほうが速く顕在化するためである。
【００６３】
このようにして、プリントアウト後、約１月程度で暗証番号１０が出現し、１ヶ月半後程度で暗証番号１１が出現する。なお、褪色に時間差を持たせるためには、広告ロゴの褪色の程度を、暗所番号１０と１１とで程度を替えることによっても実現できる。すなわち、より遅く現出させる暗証番号の背景となるロゴ上に褪色防止剤を１度記録し、暗証番号をその上から記録する。図３の例では、ロゴＢに重ねて褪色防止剤を記録し、その上に暗証番号１１を褪色防止剤で記録する。こうすることで、ロゴＢの褪色を遅らせて、暗証番号１１を暗証番号１０よりも遅く現出させることができる。
【００６４】
以上のような褪色促進剤入りのインクや褪色防止剤を利用することで、一連の暗証番号が１月後から見え始め１．５月後では、完全に見えるようになる。つまり、ユーザーは、プリントした画像を４５日間程度、広告ロゴがほぼ完全に消滅するまで室内に掲示することが期待できる。掲示する場所が、居間や玄関やその他室内であれば、広告や企業ロゴは少なくとも４５回は目に入ることとなる。また、ユーザーは知らなくとも、出現した記号や番号にこれは一体何だろうという興味を抱くこととなる。
【００６５】
このようなタイミングをもって、企業は新聞やテレビなどのマスメディアを用いて、懸賞やその他特典のキャンペーンを行なえば、より効果を上げることが可能となる。
【００６６】
逆に、キャンペーンの期間が先に設定されていれば、前期の紫外線防止剤インクＦ２のプリント回数や濃度を調整して、プリント物７に暗証番号１０、１１が現れるようにできる。あるユーザー１‘がある企業ロゴをプリントアウトした場合、その企業のキャンペーンが１週間後であれば、逆に、Ｆ１のインクから酸化防止剤や紫外線防止剤を少し低減したインクで，企業ロゴをプリントするようにすればよい。そうすると、企業ロゴの退色が早くなり、暗証番号１０、１１が早く現れるようになる。そうすると、他のユーザー１が１．５月前程度に同様の企業ロゴをプリントアウトしていたとしても、ユーザー１とユーザー１‘の暗証番号出現の時間は同じとなり、キャンペーンに一致させることが可能となる。
【００６７】
当然ながら、暗証番号がプリント物の無色の部分から現れるように、それに見合ったインクを用いて同様のシステムを構成することも可能である。
【００６８】
＜プリンタの構成＞
図６はプリント端末６に適用されるプリンタの一例であるカラーインクジェット記録装置ＩＪＲＡの概観図である。同図において、駆動モータ５０１３の正逆回転に連動して駆動力伝達ギア５０１１，５００９を介して回転するリードスクリュー５００５の螺旋溝５００４に対して係合するキャリッジＨＣはピン（不図示）を有し、矢印ａ，ｂ方向に往復移動される。このキャリッジＨＣには、恒久的記録に利用されるＹ（黄），Ｍ（マゼンタ），Ｃ（シアン），Ｂｋ（黒）各色のインクに加えて、広告ロゴをプリントするためのインクＦ１のタンクと、暗証番号を記録するためのインクＦ２の６つのインクタンクを含むインクジェットカートリッジＩＪＣが搭載されている。６色のインクジェットプリンタとしては高画質印刷のためのプリンタとして既に実用化されているものを用いることができる。
【００６９】
各インクタンクにはヘッドが作り込まれており、画像データサーバにより受信した画像データ中において指定されている色またはＦ１，Ｆ２のインクで画像が記録される。また、同色インクによる重ね打ちの場合には、紙送りされずにヘッドによる走査が繰返し行われる。画像データの展開はプリント端末６のプリンタを制御するためのコンピュータなどで行っても、画像データサーバで行っても良い。いずれにしても、指定された色（Ｆ１，Ｆ２を含む）ごとのプレーンで画像データが展開され、対応するヘッドにより記録が行われる。
【００７０】
紙押さえ板５００２は、キャリッジの移動方向に亙って紙をプラテン５０００に対して押圧する。フォトカプラ５００７，５００８は、キャリッジのレバー５００６のこの域での存在を確認して、モータ５０１３の回転方向切り換え等を行うためのホームポジション検知手段である。５０１６は記録ヘッドの前面をキャップするキャップ部材５０２２を支持する部材で、５０１５はこのキャップ内を吸引する吸引手段で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できることは言うまでもない。又、５０２１は、吸引回復の吸引を開始するためのレバーで、キャリッジと係合するカム５０２０の移動に伴って移動し、駆動モータからの駆動力がクラッチ切り換え等の公知の伝達手段で移動制御される。
【００７１】
＜実施形態にかかるプリントシステムの効果＞
以上のようにして、ネットワークを介して画像データをプリントアウトする際に、企業ロゴなどの広告を入れてプリントアウトすることで、ユーザーのプリントアウト料金を低減することが可能となり、ユーザーに良い印象を与えることが可能となる。その上に、ユーザーが当該プリント物に暗証番号による懸賞登録を行なうことで、通常の室内に、日々掲示する機会を増加せしめ、企業広告やロゴのユーザーの記憶内に深く浸透させることが可能となる。さらに、そのタイミングをもって、企業キャンペーンを行なえば、より宣伝広告効果を上げられる。また、プリントアウト後のキャンペーンにおける暗証番号応募で、ユーザーの動向や返答率などを得ることが可能となる。
【００７２】
また、紫外線吸収剤や酸化防止剤を適時、染料や顔料と組み合わせて用いることで、暗証番号の出現時期を操作することが可能となり、広告主の企業にとっては製品の販売時期やキャンペーンを行なう計画立案が可能となる。
【００７３】
また、宣伝用の企業ロゴや広告や暗証番号が、最後にはプリント物から消えることで、ユーザーにとっては画像のみほしい場合でっあった場合には大変有りがたいものであり、ユーザーに有りがたがられるという効果もある。
【００７４】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。
【００７５】
この場合、記憶媒体から読み出されたプログラムコード自体が前述した実施形態の機能を実現することになり、そのプログラムコード自体およびプログラムコードを記憶した記憶媒体は本発明を構成することになる。
【００７６】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００７７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【００７８】
さて、以上説明した発明は、以下のように把握することもできる。
【００７９】
（１）プリント装置であって、利用者の目的とする目的画像に対して付帯的な付帯画像を付加し、前記付帯画像を、前記目的画像よりも褪色しやすい色材でプリントさせると共に、前記付帯画像上に、おおむね無色の褪色防止剤で潜像を記録させる。
【００８０】
（２）（１）のプリント装置であって、画像のプリントについて利用者に課金するが、付帯画像が付加された目的画像のプリントについては、付帯画像の提供者により負担される分を除隊して前記利用者に課金する。
【００８１】
（３）（１）のプリント装置であって、付帯画像を提供するサーバ装置と接続され、潜像は、付帯画像と共にサーバ装置により提供される。
【００８２】
（４）（３）のプリント装置であって、付帯画像をプリントする色材は紫外線により褪色する色材であり、褪色防止剤は、紫外線による色材の褪色を防止するものである。
【００８３】
（５）プリント方法であって、利用者の目的とする目的画像に対して付帯的な付帯画像を付加し、前記付帯画像を、前記目的画像よりも褪色しやすい色材でプリントさせると共に、前記付帯画像上に、おおむね無色の褪色防止剤で潜像を記録させる。
【００８４】
（６）プリントシステムであって、ネットワークに接続され、画像データを保存し、ユーザにより要求された画像データをユーザに送付する画像データサイトと、
ネットワークに接続され、広告データを保存し、画像データサイトからの要求に応じて広告データを送付する広告サイトと、
ネットワークに接続され、画像データをプリントアウトするプリント装置とを備え、
その画プリント装置は、画像データサイトから受信した画像データに前記広告サイトからの広告データが含まれている場合には、画像データと共に前記広告データおよび暗証番号をプリントし、その場合には、広告データに対応する金額を割り引いてユーザにプリント料金を課金する。
【００８５】
（７）（６）のプリントシステムであって、一定期間で褪色する色材でプリントされ、暗証番号は、広告データ上に褪色防止剤で記録される。
【００８６】
（８）（７）のプリントシステムであって、暗証番号としては、複数の暗証番号が、褪色する一定期間のことなる色材でプリントされた広告データそれぞれにプリントされる。
【００８７】
（９）（８）のプリントシステムであって、プリント物は、大判のポスターや写真画像である。
【００８８】
（１０）（８）のプリントシステムであって、広告データは、暗証番号も含めて、暗証番号、および、企業広告は、最終的には、プリント物より、消失する。
【００８９】
（１１）懸賞応募システムであって、（６）乃至（１０）のプリントシステムを用いて、前記暗証番号をネットワークやその他連絡手段を通じて登録する場合において、特定の懸賞やその他特典などに応募登録する時期を限定ならしめる。
【００９０】
（１２）コンピュータプログラムであって、コンピュータにより、利用者の目的とする目的画像に対して付帯的な付帯画像を付加させ、前記付帯画像を、前記目的画像よりも褪色しやすい色材でプリントさせると共に、前記付帯画像上に、おおむね無色の褪色防止剤で潜像を記録させる。
【００９１】
【発明の効果】
以上説明したように本発明によれば、ネットワークを介して画像データをプリントアウトする際に、利用者の目的とする目的画像に対して付帯的な付帯画像を付加し、付帯画像を、目的画像よりも褪色しやすい色材でプリントさせると共に、付帯画像上に、おおむね無色の褪色防止剤で潜像を記録させることにより、付帯画像が褪色した後に潜像が顕在化するために、時間経過と共に記録された潜像が顕在化する印刷物を形成することができる。
【図面の簡単な説明】
【図１】本発明の一例の概略構成を示す概略システム図である。
【図２】本発明の一例のプリント物の概略図である。
【図３】図２中の広告もしくは企業ロゴの部分の拡大説明図である。
【図４】本発明の一例の暗証番号が表れるステップの説明図である。
【図５】本発明の全体の流れの一例を示すフローチャート図である。
【図６】本発明の一例のインクジェットプリンタエンジンの斜視図である。
【符号の説明】
１：ユーザー
２：インターネット
３：画像データサイト
４：広告サイト（広告主サイト）
５：ネットワーク回線（有線、無線、光回線、携帯回線含む）
６：プリント装置
７：プリント物
８：画像
９：広告もしくは企業ロゴ、トレードマークなど
１０、１１：暗証番号
【図１】
2004181787.tif 000003
【図２】
2004181787.tif 000004
【図３】
2004181787.tif 000005
【図４】
2004181787.tif 000006
【図５】
2004181787.tif 000007
【図６】
2004181787.tif 000008